(57)【要約】  【課題】  硬貨処理装置本体からの脱着作業中に持ち替えることを必要とせずに、任意の必要枚数を残した収納硬貨の回収および補充作業を同時に迅速かつ確実に行うことを目的とする。  【解決手段】  硬貨収納筒の背面において釣銭として残す硬貨の枚数分の高さより上方の部位を開閉自在に覆う蓋体と、前記硬貨収納筒内に積載収納された硬貨のうち釣銭として残す硬貨の最上位硬貨を保持する硬貨保持手段とを具え、該硬貨保持手段は、前記硬貨収納筒内に水平かつ前後方向に出没自在であって、突出時に釣銭として残す硬貨のうち最上位硬貨の上面の一部を覆う出没部材と、該出没部材の移動方向に対して直交する方向に前記硬貨収納装置正面から操作可能であって前記出没部材の突出および退避を操作する操作レバーとを有して、かつ、前記硬貨収納筒の正面側と硬貨収納装置正面を覆う正面カバーとの間に配置されるようにした。【選択図】  図８Ｂ
2013131112.tif 000002
【特許請求の範囲】
【請求項１】
装置正面に操作部を有するラッチ機構を介して硬貨処理装置に脱着自在に装着可能である脱着式硬貨収納装置において、
硬貨を収納するために直線的かつ並列に設けられた複数の円筒部を有する硬貨収納筒と、
該硬貨収納筒の背面一部を開閉自在に覆う蓋体と、
前記硬貨収納装置の脱着の際に前記ラッチ機構の操作部と共に同一の手で把持するための取手孔と、
前記操作部と前記取手孔とを除く前記脱着式硬貨収納装置正面を覆う正面カバーと、
少なくとも一つの前記円筒部内に積載収納された硬貨のうち釣銭として残す硬貨の最上位硬貨を保持する硬貨保持手段とを具え、
前記硬貨収納筒の背面は、釣銭として残す硬貨の枚数分の高さまでの部位が前記硬貨収納装置本体を構成する筐体で形成されかつそれ以上の高さの部位は前記蓋体で形成され、
該硬貨保持手段は、
前記円筒部内に水平かつ前後方向に出没自在であって、突出時に釣銭として残す硬貨のうち最上位硬貨の上面の一部を覆う出没部材と、
該出没部材の移動方向に対して直交する方向に前記硬貨収納装置正面から操作可能であって前記出没部材の突出および退避を操作する操作レバーとを有して、
かつ、前記円筒部の正面側と前記正面カバーとの間に配置されることを特徴とする脱着式硬貨収納装置。
【請求項２】
前記出没部材が前記円筒部内から退避している状態において、前記出没部材の一面が前記円筒部の内周壁面の一部を形成することを特徴とする請求項１に記載の脱着式硬貨収納装置。
【請求項３】
前記出没部材は、該出没部材と連動して、かつ、突出時において釣銭として残す硬貨のうち少なくとも最上位の硬貨の正面側側面を後方向に押圧する押圧部を具えることを特徴とする請求項１または２に記載の脱着式硬貨収納装置。
【請求項４】
前記出没部材または前記操作レバーは、前記出没部材が前記円筒部内から退避する方向に常時付勢する付勢手段を有することを特徴とする請求項１乃至３のいずれかに記載の脱着式硬貨収納装置。
【請求項５】
前記出没部材は、該出没部材と連動して、かつ、突出時において前記蓋体が閉塞すると該蓋体に当接して強制的に退避する当接部材を具えることを特徴とする請求項１乃至４のいずれかに記載の脱着式硬貨収納装置。
【発明の詳細な説明】
【技術分野】
【０００１】
本発明は、自動販売機、両替機、サービス機器等の機器内部に搭載される硬貨処理装置に脱着可能である硬貨収納装置に関し、特に硬貨収納装置から必要な枚数を残して他の硬貨を取り出す技術に関する。
【背景技術】
【０００２】
一般に、自動販売機、両替機、サービス機器等の機器内部には、投入硬貨の真偽を判別して正貨を金種別に選別収納するとともに、この選別収納された硬貨を釣銭として払い出す硬貨処理装置が搭載されている。
【０００３】
この硬貨処理装置に搭載される脱着式硬貨収納装置（以下、硬貨収納装置と称す。）は、硬貨処理装置に対して脱着自在であって、金種別に硬貨を積層して収容する複数の硬貨収納部が設けられている。
【０００４】
上記硬貨収納装置は、主に、硬貨選別部から落下する硬貨を積載収納するための直線的かつ並列に設けられた複数の硬貨収納筒と、硬貨収納装置の下方部を塞ぐように硬貨収納筒の下方域にねじ等で固着されたコインベースと、硬貨収納筒の下端とコインベースとの間にスライド自在に支承され、複数の硬貨収納筒全ての最下層にある硬貨を一枚ずつ引き出すペイアウトスライドとから構成され、硬貨収納装置の上部を筐体に係止または解除するラッチ機構と、取り外しおよび装着の際に指を嵌挿して引っかけるために硬貨収納装置正面に形成された取手部とをさらに具えている（特許文献１：特開２００２−６３６４０号公報等参照）。
【０００５】
このような硬貨収納装置を有する硬貨処理装置は、ラッチ機構を操作して硬貨処理装置本体と硬貨収納装置との結合を解除することによって、硬貨処理装置を機器に配設した状態のまま硬貨収納装置を取り外すことができる。
そして、硬貨処理装置本体から離脱させた硬貨収納装置は、硬貨収納筒の背面を構成して開閉自在に覆う蓋体を拡開することによって、収納硬貨を迅速かつ容易に回収することができる。
【０００６】
ところで、上記硬貨処理装置を搭載した自動販売機等の機器においては、定期的に商品等の補充や、収納貨幣および硬貨の回収、釣銭の補充をする必要がある。
特に、収納硬貨の回収と補充においては、硬貨処理装置本体から離脱させた硬貨収納装置の硬貨収納筒内の収納硬貨を全て回収した後、硬貨処理装置を搭載した自動販売機等機器の設置場所に適合した釣銭枚数を数えて、再度、硬貨収納筒へ補充する必要がある。
そして、これらの作業は、収納硬貨回収と釣銭の補充を迅速かつ確実に行うことが必要とされている。
【０００７】
硬貨収納筒内の残留硬貨の回収および釣銭用硬貨の補充を容易にするため、本出願人は、硬貨収納筒の背面側に、釣銭として残したい硬貨枚数と回収したい硬貨枚数との境界部において拡開する蓋体を設けて、蓋体を拡開した状態で硬貨収納装置を傾倒することによって、任意の必要枚数を残して硬貨を回収可能である技術を開発している（特許文献２：特開２０１０−１４６３１４号公報）。
【０００８】
しかしながら、上記特許文献２の技術においては、硬貨の側面を支承しているだけなので、硬貨収納装置を傾倒させ過ぎたり、勢いよく傾倒させたりして、釣銭として残したい硬貨まで落下してしまう虞があり、確実性に課題を有する。逆に、傾倒させずに回収する場合は、指で硬貨を取り出す必要があり煩雑である。
【０００９】
また、硬貨収納筒に設けた押圧部材を操作して硬貨側面を加圧して保持することによって、硬貨収納装置を逆さまにした際に、釣銭として残したい硬貨の落下を防止する技術が開示されている（特許文献３：特許第３１９７６７５号公報）。
【００１０】
しかしながら、上記特許文献３の技術においては、硬貨収納装置を傾倒させ過ぎたり、勢いよく傾倒させたりすることによって、硬貨の自重が押圧力より勝って、押圧されている硬貨が落下する虞がある。また、硬貨収納部の脱着操作時に使用する箇所とは別の箇所での操作が必要なため、離脱させた硬貨収納装置を持ち替える作業が追加され、この際に誤って硬貨収納装置を落下させてしまう等の作業に支障が発生する虞がある。
【００１１】
また、硬貨収納筒内に揺動して出没自在なフックを設け、硬貨収納装置を硬貨処理装置本体から取り外した際にフックが硬貨収納筒内に突出させて釣銭として残したい硬貨を保持し、硬貨収納装置を硬貨処理装置本体に装着する際に、フックを硬貨収納筒外に退避させる技術が開示されている（特許文献４：特開平０８−１６８６３号公報）。
【００１２】
しかしながら、上記特許文献４の技術においては、フックの突出量が少ないので、保持した硬貨がフックから外れる虞がある。また、たとえフックの突出量を増やしたとしても、フックが軸を介して回転するものなので、保持した硬貨とフックとの間に間隙が生じて保持した硬貨がフックから外れる虞がある。また、上記特許文献３と同様に、硬貨収納部の脱着操作時に使用する箇所とは別の箇所での操作が必要なため、離脱させた硬貨収納装置を持ち替える作業が追加され、この際に誤って硬貨収納装置を落下させてしまう等の作業に支障が発生する虞がある。
【００１３】
すなわち、上記各従来技術においては、硬貨収納装置を慎重に扱う必要があるので、迅速な作業の妨げになる。
【先行技術文献】
【特許文献】
【００１４】
【特許文献１】特開２００２−６３６４０号公報
【特許文献２】特開２０１０−１４６３１４号公報
【特許文献３】特許第３１９７６７５号公報
【特許文献４】特開平０８−１６８６３号公報
【発明の概要】
【発明が解決しようとする課題】
【００１５】
そこで、本発明は、上述した事情に鑑み、任意の必要枚数を残した収納硬貨の回収を、硬貨処理装置本体からの脱着作業中に持ち替えることを必要とせずに、残留硬貨の落下を防止して、硬貨の回収および補充作業を同時に迅速かつ確実に行うことが可能な硬貨収納装置を提供することを目的とする。
【課題を解決するための手段】
【００１６】
上述した課題を解決するために、本発明の硬貨収納装置は、硬貨収納筒の背面一部を開閉自在に覆う蓋体と、前記硬貨収納装置正面を覆う正面カバーと、前記硬貨収納筒内に積載収納された硬貨のうち釣銭として残す硬貨の最上位硬貨を保持する硬貨保持手段とを具え、前記硬貨収納筒の背面は、釣銭として残す硬貨の枚数分の高さまでの部位が前記硬貨収納装置本体を構成する筐体で形成されかつそれ以上の高さの部位は前記蓋体で形成され、該硬貨保持手段は、前記硬貨収納筒内に水平かつ前後方向に出没自在であって、突出時に釣銭として残す硬貨のうち最上位硬貨の上面の一部を覆う出没部材と、該出没部材の移動方向に対して直交する方向に前記硬貨収納装置正面から操作可能であって前記出没部材の突出および退避を操作する操作レバーとを有して、かつ、前記硬貨収納筒の正面側と前記正面カバーとの間に配置されるようにしている。
【００１７】
さらに、前記出没部材が前記硬貨収納筒内から退避している状態において、前記出没部材の一面が前記硬貨収納筒の内周壁面の一部を形成するようにしてもよい。
【００１８】
さらに、前記出没部材は、該出没部材と連動して、かつ、突出時において釣銭として残す硬貨のうち少なくとも最上位の硬貨の正面側側面を後方向に押圧する押圧部を具えるようにしてもよい。
【００１９】
さらに、前記出没部材または前記操作レバーは、前記出没部材が前記硬貨収納筒内から退避する方向に常時付勢する付勢手段を有するようにしてもよい。
【００２０】
さらに、前記出没部材は、該出没部材と連動して、かつ、突出時において前記蓋体が閉塞すると該蓋体に当接して強制的に退避する当接部材を具えるようにしてもよい。
【発明の効果】
【００２１】
このような構成によれば、釣銭として残す硬貨の側面を硬貨収納筒の内周壁面によって常時覆い、かつ、硬貨回収時においては、釣銭として残す硬貨のうち最上位硬貨の上面一部を出没部材によって覆う。
【００２２】
この際、出没部材を硬貨収納筒の正面側と筐体の正面カバーとの間の空間に配置することによって突出量を極力大きくし、さらに、硬貨収納筒内に水平に突出することによって硬貨の上面と出没部材の下面との隙間を極力開かないようにしたので、残留硬貨の滑り出しおよび落下を防止できる。
【００２３】
また、この出没部材の硬貨収納筒内への突出および硬貨収納筒内からの退避を操作する操作レバーの操作部を硬貨処理装置正面に設けたので、硬貨収納装置を硬貨処理装置本体からの脱着作業中に持ち替えることを必要とせずに、硬貨の回収を行うことが可能である。
【図面の簡単な説明】
【００２４】
【図１】本発明に係る硬貨収納装置の主に背面側の構成を示す斜視図。
【図２】本発明に係る硬貨収納装置の正面図。
【図３】図１において蓋体を拡開した状態を示す斜視図。
【図４Ａ】出没部材が退避した状態を示す、図３におけるＸ部分拡大図。
【図４Ｂ】出没部材が突出した状態を示す、図３におけるＸ部分拡大図。
【図４Ｃ】硬貨収納時において出没部材が突出した状態を示す、図３におけるＸ部分拡大図。
【図５Ａ】第１の実施形態における硬貨保持手段の斜視図。
【図５Ｂ】第１の実施形態における操作レバーの構成を示す図。
【図５Ｃ】第１の実施形態における出没部材の構成を示す図。
【図６Ａ】第１の実施形態において出没部材が退避した状態を示す要部の概略側断面図。
【図６Ｂ】第１の実施形態において出没部材が突出した状態を示す要部の概略側断面図。
【図７Ａ】第２の実施形態において出没部材が退避した状態を示す要部の概略側断面図。
【図７Ｂ】第２の実施形態において出没部材が突出した状態を示す要部の概略側断面図。
【図８Ａ】余剰硬貨が収納された状態において蓋体が閉塞した状態を示す硬貨収納装置の概略側断面図。
【図８Ｂ】図８Ａにおいて、蓋体が拡開した状態であって、出没部材が突出した状態を示す概略側断面図。
【図８Ｃ】図８Ｂにおいて硬貨収納装置を後方に傾倒した様子を示す概略側断面図。
【発明を実施するための形態】
【００２５】
以下、本発明に係る硬貨収納装置の実施例を示して詳述する。
まず、硬貨収納装置の構成について説明する。
【００２６】
図１に示す硬貨収納装置１は、図示せぬ硬貨選別部から落下する硬貨を積載収納する為の直線的かつ並列的に設けられた複数の円筒部２１〜２５からなる硬貨収納筒２を有し、装置本体を構成する筐体３と、硬貨収納筒２背面の一部を開閉自在に覆う蓋体４と、硬貨収納装置１の下方部を塞ぐように硬貨収納筒３の下方域にねじ等で固着されたコインベース５とから主に構成されるものである。
【００２７】
図２に示すように、この硬貨収納装置１の正面には、硬貨収納装置１の上部を図示せぬ硬貨処理装置本体に係止または解除するラッチ機構６の操作部６１を有し、筐体３の正面を覆う正面カバー３１には、ラッチ機構６の操作部６１を操作可能であるように設けられた操作孔３２と、取り外しおよび装着の際に指を嵌挿して引っかけるための取手孔３３とを具えており、操作部６１と取手孔３３とを、片手で掴持可能であるように配置することによって、片手のみの操作で、硬貨収納装置１を図示せぬ硬貨処理装置本体に装着または取り外しすることを可能にしている。
【００２８】
さらに、硬貨収納装置１の正面には、硬貨収納筒２内の釣銭として残したい硬貨のうち最上位の硬貨を保持する硬貨保持手段７の操作部である操作レバー８を具える。なお、硬貨保持手段７は、操作レバー８と出没部材９とから構成されて硬貨収納筒２の正面側と筐体３の正面カバー３１との間に配設されるものであり、これらの構成については、後に詳述する。
【００２９】
硬貨収納筒２の各円筒部２１〜２５の正面側は、筐体３で構成している。
他方、硬貨収納筒２の各円筒部２１〜２５の背面側は、図１に示すように、筐体３と蓋体４とによって、上下を分割して構成しており、釣銭として残したい硬貨枚数分の高さまでの部位は筐体３で構成し、それ以上の部位は蓋体４で構成している。
【００３０】
なお、本実施例において、硬貨収納筒２は、円筒部２１、２２、２３、２４、２５に、それぞれ、１０円硬貨、５０円硬貨、１０円硬貨、１００円硬貨、５００円硬貨を積載収納するものとしている。そして、円筒部２３においては１０円硬貨５０枚分の高さに対応し、円筒部２４においては１００円硬貨２５枚分の高さに対応するように、筐体３と蓋体４との境界部２３ａ、２４ａを構成するものとしている。
【００３１】
蓋体４は、図３に示すように、筐体３の下部に形成した軸部３４と蓋体４に設けた軸部４１との係合により、筐体３に対して回転自在に支承されている。なお、従来の技術と同様に、蓋体４の軸部４１を軸部３４に取り付ける際は、軸部４１を先端に有する腕部４２の弾性（樹脂材料の弾性復帰力等）を利用するものである。
【００３２】
そして、蓋体４を閉塞している状態においては、硬貨収納筒２の硬貨を収容する各円筒部２１〜２５の周面を、装置本体３の内周壁面３５と、蓋体４の内周壁面４３とによって構成し、蓋体４を拡開している状態においては、硬貨収納筒２内の収納硬貨のうち、釣銭として残さない硬貨の外周面の背面側略半分が硬貨収納装置１から露出するようにしている。
【００３３】
ここで、円筒部２３、２４における筐体３と蓋体４とのそれぞれの境界部２３ａ、２４ａを、背面側に向かって若干下方に傾斜するように形成して、蓋体４の開閉がスムーズであるようにするとともに、筐体３における境界部２３ａ、２４ａの背面側中央にそれぞれ凸部３６、３６を形成して、釣銭として残したい硬貨の後方側の側面を覆うようにしている。
【００３４】
また、図１に示すように、蓋体４における各境界部２３ａ、２４ａの背面側中央には、それぞれの凸部３６、３６に対向する凹部４４、４４を形成しており、蓋体４を閉塞した際に、凹部４４、４４が、それぞれ凸部３６、３６に嵌合して、筐体３と蓋体４とが一体的に連結するようにしている。
【００３５】
このような構成によると、硬貨収納筒２の上端からのみならず、背面側から収納硬貨を回収することが可能であり、蓋体４を拡開した状態で硬貨収納装置１を後方に傾倒して硬貨を落下させることによって、硬貨収納筒２内に積載収納された硬貨の回収を容易かつ迅速にできる。
その際、釣銭として残したい硬貨の落下を防止することによって、同時に釣銭用硬貨の補充を確実に完了することができる。
【００３６】
ここで、上述した硬貨保持手段７について、その構成と作用を詳細に説明する。なお、本実施例においては、図３に示すように、硬貨保持手段７を、円筒部２３のみに設けるものとする。
【００３７】
上述した如く、硬貨保持手段７は、操作レバー８と出没部材９とから構成され、図３に示すように、境界部２３ａの正面側に設けられる。
【００３８】
操作レバー８は、図２に示すように、円筒部２３の正面側と筐体３の正面カバー３１との間に配置されて、正面カバー３１に形成された操作孔３７を介して操作部８１を操作可能であるように設けている。
【００３９】
他方、出没部材９は、図４Ａ〜図４Ｃに示すように、突出部９１と、押圧部９２と、１対の当接部９３、９３’とを有する。
【００４０】
突出部９１および押圧部９２は、円筒部２３の正面側に配設されて、待機状態においては、円筒部２３内から退避し、操作レバー８が操作された際には、それぞれ円筒部２３内の境界部２３ａの直ぐ上方および直ぐ下方に、前後方向かつ水平方向に突出するものである。ここで、突出部９１の突出量は、押圧部９２の突出量より大きくなる様態に形成される。
【００４１】
突出部９１および押圧部９２が円筒部２３内から退避している状態においては、突出部９１の突出面９１ａと円筒部２３の内周壁面３５とが略同一面を形成し、円筒部２３内に落下してきた硬貨が引っ掛かるのを回避している。
【００４２】
円筒部２３内に硬貨が収納されている場合であって、突出部９１および押圧部９２が円筒部２３内に突出している状態においては、突出部９１の下面９１ｂが、釣銭として残す硬貨のうち最上位硬貨の上面一部を上方から覆うとともに、押圧部９２が、釣銭として残す硬貨のうち上から数枚分の硬貨の正面側に当接して、後方に押圧する。
【００４３】
また、当接部９３、９３’は、円筒部２３の側部に配設されるものであって、円筒部２３の左右に隣接する円筒部２２および円筒部２４との間にそれぞれ形成した孔３８、３８’から、突出部９１および押圧部９２と連動して出没するものである。
【００４４】
この当接部９３、９３’が突出している状態において、蓋体４が閉塞すると、蓋体４側の円筒部２３の側縁４５、４５’（図３参照）が当接部９３、９３’に当接して、強制的に筐体３内部に退避させようにしている。この際、突出部９１および押圧部９２は、当接部９３、９３’に連動して、円筒部２３内から退避する。
【００４５】
上述した操作レバー８と出没部材９とは、操作レバー８が上方に押し上げられた際に、出没部材９が後方に水平移動するよう、筐体３内において互いに連結される。
【００４６】
第１の実施形態においては、図５Ａに示すように、操作レバー８の操作部８１の上方に延設される略角柱形状の連結部８２が、出没部材８の前部に形成された平断面コ字形状の連結部９４に挿嵌する。
【００４７】
図５Ｂに示すように、操作レバー８の連結部８２の両側面には、それぞれ左右方向に凸設されて、正面側から背面側に向かって下方に傾斜する１対のガイドリブ８３、８３が左右対称に形成している。
【００４８】
他方、図５Ｃに示すように、出没部材９の連結部９４の内側面には、ガイドリブ８３の上下を挟持する１対のガイドピン９５、９５’が、それぞれ左右のガイドリブ８３、８３に対応して形成している。
【００４９】
このような構成によると、図６Ａおよび図６Ｂに示すように、操作レバー８の操作部８１を指で上方に押し上げると、ガイドリブ８３に沿ってガイドピン９５、９５’が後方に誘導されて、出没部材８が後方水平に移動し、突出部９１および押圧部９２が円筒部２３内に後方水平に突出し、当接部９３が孔３８から後方水平に突出する。
【００５０】
また、操作レバー８を下方に引き下げると、ガイドリブ８３に沿ってガイドピン９５、９５’が前方に誘導されて、出没部材９が前方水平に移動し、突出部９１、押圧部９２および当接部９３が筐体３内に退避する。
【００５１】
なお、操作レバー８の上方に延設した軸部８４に、コイルバネからなる付勢手段８５を設け、操作レバー８を常時下方に付勢して、出没部材９の突出時において、操作レバー８から指を離すと、出没部材８が退避するようにすると操作が容易である。
【００５２】
操作レバー８と出没部材９との連結は、上記第１の実施形態に限るものではなく、例えば、図７Ａおよび図７Ｂに示す第２の実施形態のように、第１の実施形態とは逆に、出没部材９の連結部９４に正面側から背面側に向かって下方に傾斜するガイドリブ９６を形成し、操作レバー８の連結部８２にガイドリブ９６の上下を挟持する１対のガイドピン８６、８６’を形成してもよい。
【００５３】
このような構成によると、操作レバー８の操作部８１を指で上方に押し上げると、ガイドリブ９６に沿ってガイドピン８６、８６’が前方に誘導されて、出没部材８が後方水平に移動し、突出部９１および押圧部９２が円筒部２３内に後方水平に突出し、当接部９３が孔３８から後方水平に突出する。
【００５４】
また、操作レバー８を下方に引き下げると、ガイドリブ９６に沿ってガイドピン８６、８６’が後方に誘導されて、出没部材９が前方水平に移動し、突出部９１、押圧部９２および当接部９３が筐体３内に退避する。
【００５５】
したがって、操作レバー８の移動方向および出没部材９の移動方向は、第１の実施形態においても第２の実施形態においても同等である。
【００５６】
また、上記実施例においては、操作レバー８を操作する方向は、操作レバー８を押し上げると出没部材９が突出する構成として、硬貨収納装置１を図示せぬ硬貨処理装置本体から取り外すために、操作孔３２と取手孔３３とをそれぞれ親指と人差し指とで把持した状態で、さらに他の指で操作レバー８の操作部８１を操作できるようになっている。よって取り外した手で、硬貨収納装置１の取り外しから操作部８１の操作までを容易に行うことができるから操作性が良い。
なお、操作レバー８を操作する方向は、筐体３の正面カバー３１に平行な方向、すなわち出没部材が移動する方向に直交する方向であれば、どのような方向とすることも可能である。
【００５７】
次に、上述した如く構成した本発明の硬貨収納装置１において、硬貨収納装置１内に収納された硬貨を回収する方法と、硬貨回収時における各構成の作用とについて説明する。なお、ここでは、第１の実施例における硬貨収納装置１の構成に基いて説明する。
【００５８】
まず、硬貨収納装置１正面に設けられたラッチ機構６の操作部６１と取手孔３３とを片手で掴持しながら、ラッチ機構６を解除して、硬貨収納装置１を図示せぬ硬貨処理装置本体から取り外す。
【００５９】
そして、図８Ａに示す硬貨収納装置１において、硬貨収納装置１を片手で掴持した状態のまま、他方の手で蓋体４を拡開すると、円筒部２３内の収納硬貨の内、釣銭として残さない硬貨の外周面略半分が硬貨収納装置１から露出する（図８Ｂ等参照）。なお、蓋体４を拡開する時に、硬貨収納装置１を正面側に若干傾倒させておくと、円筒部２３内の硬貨を予期せずに落下させることを防止できる。
【００６０】
次に、蓋体４を拡開したまま操作レバー８の操作部８１を上方に押し上げると、図８Ｂに示すように、出没部材９が後方に移動して、突出部９１および押圧部９２が円筒部２３内に後方水平に突出し、当接部材９３が孔３８から後方水平に突出する（図８Ｃ等参照）。
【００６１】
すると、突出部９１が、範囲Ｂの硬貨、すなわち釣銭として残す硬貨のうち最上位硬貨より上にある突出部９１と同等の高さ分の硬貨数枚を、押圧して後方に押し出し、同時に、押圧部９２が、範囲Ｃ内の硬貨、すなわち釣銭として残す硬貨のうち上から押圧部９２と同等の高さ分の硬貨数枚を、円筒部２３の内周壁面３５の背面側３５ａ（図４Ａおよび図４Ｂ参照）に押圧保持する。
【００６２】
そして、操作レバー８の操作部８１を上方に押し上げた状態のまま、硬貨収納装置１を背面側に傾倒すると、範囲ＡおよびＢ、すなわち余剰分の硬貨は落下するので、予め用意してあった図示せぬ回収袋等の内部に硬貨を落下させて硬貨を回収する。
【００６３】
余剰分の硬貨を全て回収した後、硬貨収納装置１を直立状態に戻し、操作レバー８からを離すとバネ８５の付勢力によって操作レバー８は下方に戻され、出没部材９が円筒部２３内から退避する。
【００６４】
これにより汚れや摩耗等で操作レバー８や出没部材９がスムーズに動作せず、出没部材８が円筒部２３内に突出した状態から復帰しなくなった場合であっても、蓋体４を閉塞する動作によって、当接部９３に蓋体４の側縁４５が当接して、強制的に出没部材８を円筒部２３内から退避させることができる。
【００６５】
その後、蓋体４を閉塞した硬貨収納装置１を図示せぬ硬貨処理装置に装着して、硬貨回収作業は終了する。
【００６６】
上述の通りに、本発明の硬貨収納装置は、釣銭として残す硬貨の側面を硬貨収納筒の内周壁面によって常時覆い、かつ、釣銭として残す硬貨のうち最上位硬貨の上面一部を出没部材によって覆うようにしている。
【００６７】
また、出没部材を円筒部の正面側と筐体の正面カバーとの間の空間に配置することによって突出量を極力大きくし、さらに、円筒部内に水平に突出することによって硬貨の上面と出没部材の下面との隙間を極力開かないようにしたので、残留硬貨の滑り出しおよび落下を防止できる。
【００６８】
さらに、この出没部材の円筒部内への突出および円筒部内からの退避を操作する操作レバーの操作部を硬貨処理装置正面に設けたので、硬貨収納装置を硬貨処理装置本体からの脱着作業内において、持ち替えることなく、硬貨の回収を行うことが可能である。
【００６９】
また、出没部材が円筒部内から退避している状態において、出没部材の一部である突出面が円筒部の内周壁面の一部を形成するようにすれば、円筒部内に落下してきた硬貨が引っ掛かるのを回避することができる。
【００７０】
また、出没部材が円筒部内に突出している状態において、出没部材の一部が釣銭として残す硬貨のうち少なくとも最上位の硬貨を後方に押圧して、円筒部の背面側の内周壁面と、出没部材とによって押圧保持することによって、より確実に残留硬貨の滑り出しおよび落下を防止できる。
【００７１】
出没部材または操作レバーに、出没部材が前記円筒部内から退避する方向に常時付勢する付勢手段を設け、出没部材の突出時において操作レバーから指を離すと、出没部材が退避するようにして、操作が容易にすることも可能である。
【００７２】
さらに、出没部材と連動して、かつ、突出時において前記蓋体が閉塞すると該蓋体に当接して強制的に退避する当接部材を設けて、汚れや摩耗等で操作レバーや出没部材がスムーズに動作せず、出没部材が円筒部内に突出した状態から復帰しなくなった場合であっても、蓋体を閉塞する動作によって、強制的に出没部材を円筒部内から退避させるようにすることも可能である。
【００７３】
この当接部材は、突出時において前記硬貨収納装置上面から突出して該硬貨収納装置が硬貨処理装置に装着されると強制的に退避するように設けることも可能である。
【００７４】
他の同様な実施形態についても同様に、本発明から逸脱することなく本発明特有の機能を有する形態であれば、説明した実施形態に変更や追加を行ってもよい。
したがって、特許請求の範囲に記載された本発明はいずれかの単一の実施形態に限定されないことは言うまでもない
【符号の説明】
【００７５】
１      硬貨処理装置
２      硬貨収納筒
３      筐体
４      蓋体
５      コインベース
６      ラッチ機構
７      硬貨保持手段
８      操作レバー
８１    操作部
８２    連結部
８３    ガイドリブ（第１の実施形態）
８４    軸部
８５    バネ
８６    ガイドピン（第２の実施形態）
９      出没部材
９１    突出部
９１ａ  突出面
９２    押圧部
９３    当接部
９４    連結部
９５    ガイドピン（第１の実施形態）
９６    ガイドリブ（第２の実施形態）
【図１】
2013131112.tif 000003
【図２】
2013131112.tif 000004
【図３】
2013131112.tif 000005
【図４Ａ】
2013131112.tif 000006
【図４Ｂ】
2013131112.tif 000007
【図４Ｃ】
2013131112.tif 000008
【図５Ａ】
2013131112.tif 000009
【図５Ｂ】
2013131112.tif 000010
【図５Ｃ】
2013131112.tif 000011
【図６Ａ】
2013131112.tif 000012
【図６Ｂ】
2013131112.tif 000013
【図７Ａ】
2013131112.tif 000014
【図７Ｂ】
2013131112.tif 000015
【図８Ａ】
2013131112.tif 000016
【図８Ｂ】
2013131112.tif 000017
【図８Ｃ】
2013131112.tif 000018